(57)【要約】【課題】盛った土で倒れることがなく盛土をしっかりと支えることができ、それでいて、低段差の造成を短時間で終えられ、造成に必要な部材を軽量化して造成作業を容易にすることも可能な、低段差造成用の土留め材を提供する。【解決手段】土留め本体部２の下端部に、地面に差し込まれる差し込み部３と、土留めする土８の下に突出する側方張出し部４とが備えられており、プラスチック等でつくられている。【選択図】      図１
2006283385.tif 000002
【特許請求の範囲】
【請求項１】
土留め本体部の下端部に、地面に差し込まれる差し込み部と、土留めする土の下に突出する側方張出し部とが備えられていることを特徴とする、低段差造成用の土留め材。
【発明の詳細な説明】
【技術分野】
【０００１】
本発明は、低段差造成用の土留め材に関する。
【背景技術】
【０００２】
土間等の低段差の造成をする場合、従来は、土留め材としてコンクリートブロックを用い、該コンクリートブロックをモルタル左官作業によって二段程度に積み上げ、コンクリートブロックを挟む一方の側に土を盛ったのち、コンクリートブロックを挟む両方にコンクリートを打ち込むというようにして行われている。
【発明の開示】
【発明が解決しようとする課題】
【０００３】
しかしながら、土留め材の設置にモルタル左官作業を必要としたのでは、土盛りをモルタルが固まるまで待たなければならず、造成に多くの時間を要するという問題がある。また、コンクリートブロックは重く、持運びが容易でないという問題もある。
【０００４】
本発明は、上記のような問題点に鑑み、盛った土で倒れることがなく盛土をしっかりと支えることができ、それでいて、低段差の造成を短時間で終えることができ、加えて、造成に必要な部材を軽量化して造成作業を容易にすることが可能な、低段差造成用の土留め材を提供することを課題とする。
【課題を解決するための手段】
【０００５】
上記の課題は、土留め本体部の下端部に、地面に差し込まれる差し込み部と、土留めする土の下に突出する側方張出し部とが備えられていることを特徴とする、低段差造成用の土留め材によって解決される。
【０００６】
この土留め材では、差し込み部を地面に差し込んだ状態にして土留め本体部を地面に設置し、側方張出し部の備えられている側に土を盛れば、差し込み部が地面に差し込まれていることによって、土盛りの最中に土留め本体部が位置ずれを起こしてしまうことがなく、また、土盛りを終えれば、側方張出し部が、盛られた土によって上から押さえ込まれること、及び、上記のように差し込み部が地面に差し込まれていることの組み合わせ作用によって、盛土の側圧で土留め本体部が倒れ込んでしまうことはなく、盛土をしっかりと支えることができる。
【０００７】
従って、土留め材の高さ寸法も、コンクリートブロックを二段程度積んだ高さ寸法にするのは容易であるし、それよりも低い寸法はもとより、高い寸法であっても、盛土をしっかりと支えることができるようにすることが可能で、従来のような左官作業をなくすことができ、低段差の造成を短時間で終えることができる。
【０００８】
しかも、差し込み部と側方張出し部の作用により、土留め本体部は、重量のあるものである必要がなくなり、軽量なものを用いることができて、造成に必要な部材を軽量化し、造成作業を容易にすることができる。
【０００９】
なお、土盛りの後は、土留め本体部を挟む両側、あるいは、盛土の側に、必要に応じてコンクリートを打てばよい。
【発明の効果】
【００１０】
本発明は、以上のとおりのものであるから、盛った土で倒れることがなく盛土をしっかりと支えることができ、それでいて、低段差の造成を短時間で終えることができ、加えて、造成に必要な部材を軽量化して造成作業を容易にすることが可能である。
【発明を実施するための最良の形態】
【００１１】
次に、本発明の実施最良形態を図面に基づいて説明する。
【００１２】
図１〜図３に示す第１実施形態の土留め材１は、プラスチック、ＦＲＰ、カーボン、ＡＢＳ樹脂等のさびにくい材料でつくられており、図２（イ−１）〜（イ−３）に示すように、立ち上がり状の土留め本体部２が板状をしており、その下端部には、下方に突出する先端尖り状の差し込み部３と、土留め本体部２に直交する一方の側方に張り出す第１側方張出し部４と、もう一方の側方に張り出す第２側方張出し部５とが一体あるいは一体的に備えられていている。
【００１３】
上記の差し込み部３が、地面に差し込まれる差し込み部であり、第１側方張出し部４が、土留めされる土の下に突出する側方張出し部であり、第２側方張出し部５と土留め本体部２とがリブ６…で連結され、土留め本体部２が、盛られた土の側圧にしっかりと耐えることができるようになされている。
【００１４】
なお、土留め本体部２の高さ寸法は、造成する段差の高さ寸法に応じて決められてよく、それに応じて、差し込み部３の高さ寸法や、第１、第２の側方張出し部４，５の張出し寸法、各所の肉厚寸法が設計で決められることになる。
【００１５】
低段差の造成は、上記の土留め材１を用い、図１（イ）（ロ）に示すように、整地した地面７に差し込み部３を差し込んで、第１，第２の側方張出し部４，５を地面７に接地させ、土留め本体部２を地面７の上に立てた状態にする。そこまでの作業において、従来のようなモルタル左官作業はなく、土留め材１を上記のようにして設置したら、時間をおくことなく、図１（ハ）に示すように、土留め本体部２の一方の側に、土８を盛っていけばよく、造成作業開始から土盛り作業開始までの時間が従来に比べて大幅に短縮される。
【００１６】
そして、土盛り中は、土留め材１の差し込み部３が地面７に差し込まれていることで、位置ずれすることはなく、また、土盛りを終えれば、第１側方張出し部４が、盛られた土８によって上から押さえ込まれること、及び、上記のように差し込み部３が地面７に差し込まれていること、更には、第２側方張出し部５がリブ６の作用で地面７にしっかりと当接して土留め本体部２が支えられることの組み合わせ作用によって、盛土８の側圧で土留め本体部２が倒れ込んでしまうことはなく、盛土８をしっかりと支えることができる。
【００１７】
従って、土留め本体部２は、上記のように板状のものであっても、差し込み部３の存在と、第１、第２の側方張出し部４，５の存在、そして、リブ６の存在により、盛土８からの側圧にしっかりと耐えることができて、土留め材１を軽量化することができ、上記のように、土留め材１を地面に接地する作業を容易に行っていくことができる。
【００１８】
こうして土盛りを終えたのち、図１（ニ）に示すように、土留め本体部２を挟む両側に土間コンクリート１７，１７を打てば、低段差を有するコンクリート土間が形成される。
【００１９】
上記の土留め材１は、図３に示すように、低段差の造成において、複数個用いられ、端部同士を隣り合わせるように直列に並べられて盛土をせき止めるが、直線方向に隣り合う土留め材１，１同士をジョイントする一般部用ジョイント材９と、出隅部や入隅部等の隅部において隣り合う土留め材１，１同士をジョイントする隅部用ジョイント材１０が用意されていれば、直線部や隅部をきれいな仕上がり状態にすることができる。
【００２０】
なお、一般部ジョイント材９は、図２（ロ）に示すように、土留め材１の土留め本体部２に上方からしっくりと嵌め込まれる逆Ｕ字状のジョイント本体部１２と、土留め材１の第１側方張出し部４の上面側に張り出す第１張出し部１３と、土留め材１の第２側方張出し部５の上面側に張り出す第２張出し部１４とを備えており、第２張出し部１４とジョイント本体部１２とがリブ１５で連結され、ジョイント本体部１２で隣り合う土留め材１，１の土留め本体部２，２を連続させ、第１張出し部１３でジョイント材９，１０の抜けを防止し、第２張出し部１４とリブ１５とで、盛土８からの側圧に耐えることができるようなされている。
【００２１】
また、隅部用ジョイント材１０は、図２（ハ）に示すように、ジョイント本体部１２と、第１張出し部１３と、第２張出し部１４とを備え、Ｌ形をしていて、その形態により、リブは省略され、出隅と入隅を兼ねて、第１張出し部１３と、第２張出し部１４を逆使用するようになされている。
【００２２】
これらジョイント材９，１０において、逆Ｕ字状のジョイント本体部１２は必須で、第１張出し部１３と、第２張出し部１４については、いずれか一方又は両方が備えられていても、備えられていなくてもよい。
【００２３】
図４に示す第２実施形態の土留め材１は、第１実施形態と同様のさびにくい材料からなっていて、図（イ−１）及び図（イ−２）に示すように、土留め本体部２が、上端を開口したボックス形をしており、その下端部に下方に突出する差し込み部３と、盛土８の下に突出する側方張出し部４とが一体に、あるいは、一体的に備えられたものからなっている。
【００２４】
そして、土留め材１の設置に際しては、図４（ロ）に示すように、同様の構造を備えた隅部用の土留め材１６も用意され、また、図４（ハ）（ニ）に示すように、土盛りをした後、土間コンクリート１７，１７を打ち込む際に、土留め本体部２のボックス内にもコンクリート１７が充填される。このように、ボックス内へのコンクリート１７の充填によって、土留め材１，１６は、そのコンクリート１７の重量により、設置状態を安定良く保つことができ、しかも、土留め材１，１７は、コンクリート１７を充填する前は、軽量であり、地面７への土留め材１の設置までの作業を容易にすることができる。なお、土留め本体部２は、上方に開口する空洞部を備えた各種容器形のものであればよく、ボックス形に限らない。
【００２５】
以上に、本発明の実施形態を示したが、本発明はこれに限られるものではなく、発明思想を逸脱しない範囲で各種の変更が可能である。例えば、上記の実施形態では、土留め本体部の形態として、板状のものと、コンクリートを充填可能な上方開口のボックス形、容器形のものを示したが、立ち上がり形状をし、差し込み部と、盛土の下に突出する側方突出部とを備えたものであれば、各種形態につくられたものであってよい。また、差し込み部や側方張出し部の形態についても、それらの役割を果たすことができるものであればよく、各種形態につくられていてよい。材質についても特に制限はない。
【図面の簡単な説明】
【００２６】
【図１】第１実施形態を示すもので、図（イ）〜図（ニ）は土留め材を用いた低段差造成方法を順次に示す断面側面図である。
【図２】図（イ−１）〜図（イ−３）は同土留め材の斜視図、図（ロ）及び図（ハ）はジョイント材の斜視図である。
【図３】同土留め材の設置方法の一例を示す斜視図である。
【図４】第２実施形態を示すもので、図（イ−１）及び図（イ−２）は土留め材の斜視図、図（ロ）は土留め材の設置例を示す斜視図、図（ハ）は土盛り後の状態を示す断面側面図、図（ニ）はコンクリート土間を打った状態に断面側面図である。
【符号の説明】
【００２７】
１…土留め材
２…土留め本体部
３…差し込み部
４…第１側方張出し部（側方張出し部）
７…地面
８…盛土
【図１】
2006283385.tif 000003
【図２】
2006283385.tif 000004
【図３】
2006283385.tif 000005
【図４】
2006283385.tif 000006